(57)【要約】【課題】カラー画像装置に対して、入力カラー画像または入力モノクロ画像のデータに基づいて、カラー画像表示装置にモノクロ画像を表示できる画像処理装置の提供。【解決手段】カラー画像表示器３にモノクロ画像を表示するために、バッファ１１にＲＧＢデータが格納されているとする。この場合に、カラー変換マトリクス回路１２は、ＲＧＢデータをＹＵＶデータに変換するが、この変換の際に、ＹＵＶデータが同じ値からなる３つのＹデータになるように変換する。ＬＵＴ１３は、カラー変換マトリクス回路１２で変換された３つのＹデータについて、それぞれデータ値の変換を行う。その変換された３つのＹデータをＲＧＢデータとして使用し、カラー画像表示器３にカラー画像がモノクロ画像として表示される。【選択図】図１
2009044289.tif 000002
【特許請求の範囲】
【請求項１】
入力カラー画像データに基づいてカラー画像表示手段にモノクロ画像を表示させる画像処理装置であって、
入力カラー画像データがＲＧＢデータのときに、そのＲＧＢデータをＹＵＶデータに変換し、この変換の際にＹＵＶデータを同じ値の３つのＹデータに変換する第１変換手段を備え、
前記カラー画像表示手段は、前記第１変換手段から出力される３つのＹデータをＲＧＢデータとして使用し、カラー画像をモノクロ画像として表示することを特徴とする画像処理装置。
【請求項２】
入力カラー画像データに基づいてカラー画像表示手段にモノクロ画像を表示させる画像処理装置であって、
入力カラー画像データがＹＵＶデータのときに、そのＹＵＶデータをＹＵＶデータに変換し、この変換の際にＹＵＶデータを同じ値の３つのＹデータに変換する第１変換手段を備え、
前記カラー画像表示手段は、前記第１変換手段から出力される３つのＹデータをＲＧＢデータとして使用し、カラー画像をモノクロ画像として表示することを特徴とする画像処理装置。
【請求項３】
前記第１変換手段から出力される３つのＹデータの各値を所定値に変換する第２変換手段をさらに備え、
前記カラー画像表示手段は、前記第２変換手段から出力される３つの変換値をＲＧＢデータとして使用し、カラー画像をモノクロ画像として表示することを特徴とする請求項１または請求項２に記載の画像処理装置。
【請求項４】
入力モノクロ画像のデータに基づいてカラー画像表示手段にモノクロ画像を表示させる画像処理装置であって、
前記入力モノクロ画像の濃度データをＲＧＢデータとして拡張し、この拡張されたＲＧＢデータを３つの濃度データに変換する第１変換手段を備え、
前記カラー画像表示手段は、前記第１変換手段から出力される３つの濃度データをＲＧＢデータとして使用し、モノクロ画像として表示することを特徴とする画像処理装置。
【請求項５】
入力カラー画像または入力モノクロ画像のデータに基づいてカラー画像表示手段にモノクロ画像を表示させる画像処理装置であって、
入力カラー画像のデータがＲＧＢデータのときには、そのＲＧＢデータをＹＵＶデータに変換し、この変換の際にＹＵＶデータを同じ値の３つのＹデータに変換して出力する第１モードと、
入力カラー画像のデータがＹＵＶデータのときには、そのＹＵＶデータをＹＵＶデータに変換し、この変換の際にＹＵＶデータを同じ値の３つのＹデータに変換して出力する第２モードと、
入力モノクロ画像の濃度データのときには、その濃度データをＲＧＢデータとして拡張し、この拡張されたＲＧＢデータを３つの濃度データに変換して出力する第３モードとを有し、
前記第１、第２、および第３モードのうちの１つを予め設定できる第１変換手段を備え、
前記カラー画像表示手段は、前記モードに応じて前記第１変換手段から出力される３つのＹデータまたは３つの濃度データをＲＧＢデータとして使用し、モノクロ画像として表示することを特徴とする画像処理装置。
【請求項６】
前記第１変換手段から出力される３つのＹデータの各値を所定値に変換するとともに、前記第１変換手段から出力される３つの濃度データの各値を所定値に変換する第２変換手段をさらに備え、
前記カラー画像表示手段は、前記第２変換手段から出力される３つの変換値をＲＧＢデータとして使用し、モノクロ画像として表示することを特徴とする請求項５に記載の画像処理装置。
【請求項７】
入力カラー画像データに基づいてモノクロ画像表示手段にモノクロ画像を表示させる画像処理装置であって、
入力カラー画像データがＹＵＶデータのときに、そのＹＵＶデータからＹデータのみを取り出す第１変換手段を備え、
前記モノクロ画像表示手段は、前記第１変換手段から出力されるＹデータを濃度データとして使用し、カラー画像をモノクロ画像として表示することを特徴とする画像処理装置。
【請求項８】
入力モノクロ画像データに基づいてモノクロ画像表示手段にモノクロ画像を表示させる画像処理装置であって、
入力モノクロ画像の濃度データをＲＧＢデータとして拡張し、この拡張されたＲＧＢデータから濃度データに変換する第１変換手段を備え、
前記モノクロ画像表示手段は、前記第１変換手段から出力される濃度データを使用し、モノクロ画像を表示することを特徴とする画像処理装置。
【請求項９】
入力カラー画像または入力モノクロ画像のデータに基づいてモノクロ画像表示手段にモノクロ画像を表示させる画像処理装置であって、
入力カラー画像のデータがＹＵＶデータをときには、そのＹＵＶデータからＹデータを取り出して出力する第１モードと、
入力モノクロ画像の濃度データのときには、その濃度データをＲＧＢデータとして拡張し、この拡張されたＲＧＢデータから濃度データに変換して出力する第２モードとを有し、
前記第１モードまたは前記２モードを予め設定できる第１変換手段を備え、
前記モノクロ画像表示手段は、前記モードに応じて前記第１変換手段から出力されるＹデータまたは濃度データを使用し、モノクロ画像を表示することを特徴とする画像処理装置。
【請求項１０】
前記第１変換手段から出力されるＹデータまたは濃度データの各値を所定値に変換する第２変換手段をさらに備え、
前記モノクロ画像表示手段は、前記第２変換手段から出力される変換値を使用し、モノクロ画像を表示することを特徴とする請求項９に記載の画像処理装置。
【発明の詳細な説明】
【技術分野】
【０００１】
本発明は、入力カラー画像または入力モノクロ画像のデータに基づき、カラー画像表示手段にモノクロ画像を表示させるための画像処理装置に関するものである。
また、本発明は、入力カラー画像または入力モノクロ画像のデータに基づき、モノクロ画像表示手段にモノクロ画像表示させる画像処理装置に関するものである。
【背景技術】
【０００２】
従来、カラー画像データをモノクロの２値表示装置で表示する場合の画像処理装置が知られている（例えば、特許文献１参照）。
この特許文献１に開示される画像処理装置（従来装置）は、各色相に応じた複数のグレイテーブルを設け、これらグレイテーブルの中からカラー画像データの色相に対応するグレイテーブルを選択し、そのグレイテーブルを参照することによって輝度に対する階調度を求めている。この階調度は、濃淡を表現するディザパターンによって２値画像に変換され、これによってカラー画像データの中間調画像を明瞭に表現できるようになる。
【特許文献１】特開平６−５９６５７号公報
【発明の開示】
【発明が解決しようとする課題】
【０００３】
このように、従来装置では、カラー画像データを用いてモノクロ表示の表示器にモノクロ表示ができる。
ところで、カラー画像表示装置に対して、カラー画像またはモノクロ画像のデータに基づいて、モノクロ画像の表示が必要な場合がある。また、モノクロ画像表示装置に対して、カラー画像またはモノクロ画像のデータに基づいて、モノクロ画像の表示が必要な場合がある。
【０００４】
そこで、本発明の第１の目的は、上記の点に鑑み、カラー画像表示装置に対して、カラー画像またはモノクロ画像のデータに基づいてモノクロ画像を表示させることができ、その表示のために専用の回路を必要としない画像処理装置を提供することにある。
本発明の第２の目的は、上記の点に鑑み、モノクロ画像表示装置に対して、カラー画像またはモノクロ画像のデータに基づいてモノクロ画像を表示させることができ、その表示のために専用の回路を必要としない画像処理装置を提供することにある。
【課題を解決するための手段】
【０００５】
上記の課題を解決し本発明の目的を達成するために、各発明は、以下のような構成からなる。
第１の発明は、入力カラー画像データに基づいてカラー画像表示手段にモノクロ画像を表示させる画像処理装置であって、入力カラー画像データがＲＧＢデータのときに、そのＲＧＢデータをＹＵＶデータに変換し、この変換の際にＹＵＶデータを同じ値の３つのＹデータに変換する第１変換手段を備え、前記カラー画像表示手段は、前記第１変換手段から出力される３つのＹデータをＲＧＢデータとして使用し、カラー画像をモノクロ画像として表示することを特徴とする。
【０００６】
第２の発明は、入力カラー画像データに基づいてカラー画像表示手段にモノクロ画像を表示させる画像処理装置であって、入力カラー画像データがＹＵＶデータのときに、そのＹＵＶデータをＹＵＶデータに変換し、この変換の際にＹＵＶデータを同じ値の３つのＹデータに変換する第１変換手段を備え、前記カラー画像表示手段は、前記第１変換手段から出力される３つのＹデータをＲＧＢデータとして使用し、カラー画像をモノクロ画像と
して表示することを特徴とする。
【０００７】
第３の発明は、第１または第２の発明において、前記第１変換手段から出力される３つのＹデータの各値を所定値に変換する第２変換手段をさらに備え、前記カラー画像表示手段は、前記第２変換手段から出力される３つの変換値をＲＧＢデータとして使用し、カラー画像をモノクロ画像として表示することを特徴とする。
第４の発明は、入力モノクロ画像のデータに基づいてカラー画像表示手段にモノクロ画像を表示させる画像処理装置であって、前記入力モノクロ画像の濃度データをＲＧＢデータとして拡張し、この拡張されたＲＧＢデータを３つの濃度データに変換する第１変換手段を備え、前記カラー画像表示手段は、前記第１変換手段から出力される３つの濃度データをＲＧＢデータとして使用し、モノクロ画像として表示することを特徴とする。
【０００８】
第５の発明は、入力カラー画像または入力モノクロ画像のデータに基づいてカラー画像表示手段にモノクロ画像を表示させる画像処理装置であって、入力カラー画像のデータがＲＧＢデータのときには、そのＲＧＢデータをＹＵＶデータに変換し、この変換の際にＹＵＶデータを同じ値の３つのＹデータに変換して出力する第１モードと、入力カラー画像のデータがＹＵＶデータのときには、そのＹＵＶデータをＹＵＶデータに変換し、この変換の際にＹＵＶデータを同じ値の３つのＹデータに変換して出力する第２モードと、入力モノクロ画像の濃度データのときには、その濃度データをＲＧＢデータとして拡張し、この拡張されたＲＧＢデータを３つの濃度データに変換して出力する第３モードとを有し、前記第１、第２、および第３モードのうちの１つを予め設定できる第１変換手段を備え、前記カラー画像表示手段は、前記モードに応じて前記第１変換手段から出力される３つのＹデータまたは３つの濃度データをＲＧＢデータとして使用し、モノクロ画像として表示することを特徴とする。
【０００９】
第６の発明は、第５の発明において、前記第１変換手段から出力される３つのＹデータの各値を所定値に変換するとともに、前記第１変換手段から出力される３つの濃度データの各値を所定値に変換する第２変換手段をさらに備え、前記カラー画像表示手段は、前記第２変換手段から出力される３つの変換値をＲＧＢデータとして使用し、モノクロ画像として表示することを特徴とする。
【００１０】
第７の発明は、入力カラー画像データに基づいてモノクロ画像表示手段にモノクロ画像を表示させる画像処理装置であって、入力カラー画像データがＹＵＶデータのときに、そのＹＵＶデータからＹデータのみを取り出す第１変換手段を備え、前記モノクロ画像表示手段は、前記第１変換手段から出力されるＹデータを濃度データとして使用し、カラー画像をモノクロ画像として表示することを特徴とする。
【００１１】
第８の発明は、入力モノクロ画像データに基づいてモノクロ画像表示手段にモノクロ画像を表示させる画像処理装置であって、入力モノクロ画像の濃度データをＲＧＢデータとして拡張し、この拡張されたＲＧＢデータから濃度データに変換する第１変換手段を備え、前記モノクロ画像表示手段は、前記第１変換手段から出力される濃度データを使用し、モノクロ画像を表示することを特徴とする。
【００１２】
第９の発明は、入力カラー画像または入力モノクロ画像のデータに基づいてモノクロ画像表示手段にモノクロ画像を表示させる画像処理装置であって、入力カラー画像のデータがＹＵＶデータをときには、そのＹＵＶデータからＹデータを取り出して出力する第１モードと、入力モノクロ画像の濃度データのときには、その濃度データをＲＧＢデータとして拡張し、この拡張されたＲＧＢデータから濃度データに変換して出力する第２モードとを有し、前記第１モードまたは前記２モードを予め設定できる第１変換手段を備え、前記モノクロ画像表示手段は、前記モードに応じて前記第１変換手段から出力されるＹデータ
または濃度データを使用し、モノクロ画像を表示することを特徴とする。
【００１３】
第１０の発明は、第９の発明において、前記第１変換手段から出力されるＹデータまたは濃度データの各値を所定値に変換する第２変換手段をさらに備え、前記モノクロ画像表示手段は、前記第２変換手段から出力される変換値を使用し、モノクロ画像を表示することを特徴とする。
このような構成からなる本発明によれば、カラー画像表示装置に対して、カラー画像またはモノクロ画像のデータに基づいてモノクロ画像を表示させることができ、その表示のために専用の回路を必要としない。
また、本発明によれば、モノクロ画像表示装置に対して、カラー画像またはモノクロ画像のデータに基づいてモノクロ画像を表示させることができ、その表示のために専用の回路を必要としない。
【発明を実施するための最良の形態】
【００１４】
以下、本発明の実施形態について、図面を参照して説明する。
（第１実施形態）
本発明の第１実施形態に係る画像処理装置１は、図１に示すように、バッファ１１と、カラー変換マトリクス回路１２と、ＬＵＴ（ルックアップテーブル）１３と、表示器インタフェース１４と、を備えている。
【００１５】
また、画像処理装置１は、メモリであるＳＤＲＡＭ２に記憶されるカラー画像のデータに基づき、カラー画像表示用の表示器３に対して、カラー画像表示のみならず、モノクロ画像表示ができるようにした。さらに、画像処理装置１は、ＳＤＲＡＭ２に記憶されるモノクロ画像のデータに基づき、カラー画像表示器３に対して、モノクロ画像表示ができるようにした。
【００１６】
バッファ１１は、ＳＤＲＡＭ２に記憶されるカラー画像またはモノクロ画像のデータを一時的に格納する。
カラー変換マトリクス回路１２は、入力されるカラー画像の８ビットずつの３つのデータについて式（１）で示すようなマトリクス演算を行い、これにより所定の８ビットずつの３つのデータに変換して出力する。
【００１７】
【数１】
2009044289.tif 000003
【００１８】
（１）式を展開すると、次の（２）〜（４）式のようになる。
【００１９】
Ｏ１＝（Ｃ１×Ｉ１）＋（Ｃ２×Ｉ２）＋（Ｃ３×Ｉ３）・・・（２）
【００２０】
Ｏ２＝（Ｃ４×Ｉ１）＋（Ｃ５×Ｉ２）＋（Ｃ６×Ｉ３）・・・（３）
【００２１】
Ｏ３＝（Ｃ７×Ｉ１）＋（Ｃ８×Ｉ２）＋（Ｃ９×Ｉ３）・・・（４）
【００２２】
ここで、（１）〜（４）式において、Ｉ１、Ｉ２、Ｉ３は入力データを示し、Ｏ１、Ｏ２、Ｏ３は出力データを示し、Ｃ１〜Ｃ９はそれぞれ係数を示す。
このカラー変換マトリクス回路１２では、係数Ｃ１〜Ｃ９はそれぞれ任意の値が設定できるようになっている。このため、データ変換に先立って、係数Ｃ１〜Ｃ９を予め設定し
ておけば、後述の各種の画像データの処理モードを設定できることになる。
【００２３】
ＬＵＴ１３は、カラー変換マトリクス回路１２からの出力データＯ１、Ｏ２、Ｏ３について、その各データ値をそれぞれ所定値に変換（変更）する。このため、ＬＵＴ１３はメモリからなり、例えばデータＯ１が８ビットの場合に、その各デジタル値をメモリのアドレスに対応させ、各アドレスに所望の値を予め書き込んでおけば、メモリの内容を読み出すことにより、データ変換（振幅処理演算）ができる。ここで、ＬＵＴ１３は、省略するようにしても良い。
【００２４】
表示器インタフェース１４は、ＬＵＴ１３からの３つの出力データに基づき、カラー画像表示器３にカラー画像またはモノクロ画像を表示させる。
カラー画像表示器３は、例えば液晶表示器からなる。また、カラー画像表示器３は、ＲＧＢデータを用いてカラー画像表示ができ、かつ、ＲＧＢデータとして濃度データ（輝度データ）を用いてモノクロ画像表示ができる。さらに、カラー画像表示器３は、ＲＧＢデータが８ビットずつの場合で表示できる上に、ＲＧＢデータが６ビットずつの場合での表示でき、その表示モードが選択できる。
【００２５】
次に、上記の構成からなる第１実施形態で処理される画像データの形式について、図２参照して説明する。図２は、カラー画像のＲＧＢデータの形式を示す。
図２（Ａ）は、Ｒが３ビット、Ｇが３ビット、およびＢが２ビットで全体が８ビットからなるカラー画像のＲＧＢデータである（以下、ＲＧＢ３３２と表記）。そのＲ、Ｇ、Ｂのデータは、それぞれ８ビットの形式からなり、図示のようにその８ビット中の一部に割り当てられている。
【００２６】
図２（Ｂ）は、Ｒが５ビット、Ｇが６ビット、およびＢが５ビットで全体が１６ビットからなるカラー画像のＲＧＢデータである（以下、ＲＧＢ５６５と表記）。そのＲ、Ｇ、Ｂのデータは、それぞれ８ビットの形式からなり、図示のようにその８ビット中の一部に割り当てられている。
図２（Ｃ）は、Ｒが８ビット、Ｇが８ビット、およびＢが８ビットで全体が２４ビットからなるカラー画像のＲＧＢデータである（以下、ＲＧＢ８８８と表記）。そのＲ、Ｇ、Ｂのデータは、それぞれ８ビットの形式からなり、図示のようにその８ビットの全体に割り当てられている。
【００２７】
次に、図２に示すようなカラー画像のＲＧＢデータを用いて、カラー画像表示器３にカラー画像表示する場合の処理について図１および図３を参照して説明する。
いま、ＲＧＢデータがカラー変換マトリクス回路１２に入力されると（ステップＳ１）、カラー変換マトリクス回路１２は、２４ビットのＲＧＢデータを２４ビットのＲＧＢデータに変換する（ステップＳ２）。これにより、色調整が行われる。
【００２８】
次いで、ＬＵＴ１３では、カラー変換マトリクス回路１２で変換されたＲＧＢデータについて、それぞれデータ値の変換（階調変換）を行う（ステップＳ３）。そして、その変換されたＲＧＢデータを使用し、カラー画像表示器３にカラー画像表示される（ステップＳ４）。
次に、図２に示すようなカラー画像のＲＧＢデータを用いて、カラー画像表示器３にカラー画像をモノクロ画像表示する場合の処理について図１および図４を参照して説明する。
【００２９】
いま、ＲＧＢデータがカラー変換マトリクス回路１２に入力されると（ステップＳ１１）、カラー変換マトリクス回路１２は、ＲＧＢデータをＹＵＶデータに変換するが、この変換の際に、ＹＵＶデータが同じ値からなる３つのＹデータ（輝度データ）になるように変換する（ステップＳ１２）。
このような輝度変換は、（１）式において、入力データＩ１〜Ｉ３としてＲＧＢデータを使用し、出力データＯ１〜Ｏ３としてＹＵＶデータとする。さらに、係数Ｃ１〜Ｃ９は、Ｃ１＝Ｃ４＝Ｃ７＝０．２９９、Ｃ２＝Ｃ５＝Ｃ８＝０．５９７、Ｃ３＝Ｃ６＝Ｃ９＝０．１１４、となるように予め設定しておく。これにより、（２）〜（４）式は、次の（５）式のようになり、ＹＵＶデータとして、同じ値からなる３つのＹデータ（輝度データ）を得ることができる。
【００３０】
Ｙ＝Ｕ＝Ｖ＝０．２９９Ｒ＋０．５９７Ｇ＋０．１１４Ｂ・・・（５）
【００３１】
次いで、ＬＵＴ１３では、カラー変換マトリクス回路１２で変換された３つのＹデータについて、それぞれデータ値の変換を行う（ステップＳ１３）。そして、その変換された３つのＹデータをＲＧＢデータとして使用し、カラー画像表示器３にカラー画像がモノクロ画像（無彩色のモノクロ画像）として表示される（ステップＳ１４）。
【００３２】
次に、カラー画像のＹＵＶデータを用いて、カラー画像表示器３にカラー画像表示する場合の処理について図１および図５を参照して説明する。
この例では、元画像のＹＵＶデータとしてＹＵＶ４２２またはＹＵＶ４４４を処理する場合について説明する（ステップＳ２１）。例えば、ＹＵＶ４２２を処理する場合には、ＹＵＶ４２２からＹＵＶ４４４に変換される（ステップＳ２２）。この変換は、図示しない回路によって行われ、ＹＵＶ４４４を処理する場合はその変換は不要である。
【００３３】
次に、ＹＵＶ４４４に変換されたＹＵＶデータが、カラー変換マトリクス回路１２に入力されると、カラー変換マトリクス回路１２は、ＹＵＶデータからＲＧＢデータにカラーフォーマット変換を行う（ステップＳ２３）。
次いで、ＬＵＴ１３では、カラー変換マトリクス回路１２で変換されたＲＧＢデータについて、データ値の変換を行う（ステップＳ２４）。そして、その変換されたＲＧＢデータを使用し、カラー画像表示器３にカラー画像表示される（ステップＳ２５）。
【００３４】
次に、カラー画像のＹＵＶデータを用いて、カラー画像表示器３にカラー画像をモノクロ画像として表示する場合の処理について図１および図６を参照して説明する。
この例では、元画像のＹＵＶデータとしてＹＵＶ４２２またはＹＵＶ４４４を処理する場合について説明する（ステップＳ３１）。例えば、ＹＵＶ４２２を処理する場合には、ＹＵＶ４２２からＹＵＶ４４４に変換される（ステップＳ３２）。この変換は、図示しない回路によって行われ、ＹＵＶ４４４を処理する場合はその変換は不要である。
【００３５】
次に、ＹＵＶ４４４に変換されたＹＵＶデータが、カラー変換マトリクス回路１２に入力されると、カラー変換マトリクス回路１２は、ＹＵＶデータから同じ値であるＹＹＹデータに変換する（ステップＳ３３）。
このような変換は、（１）式において、入力データＩ１〜Ｉ３としてＹＵＶデータを使用し、出力データＯ１〜Ｏ３としてＹＵＶデータとする。さらに、係数Ｃ１〜Ｃ９は、Ｃ１＝Ｃ４＝Ｃ７＝１、Ｃ２＝Ｃ５＝Ｃ８＝０、Ｃ３＝Ｃ６＝Ｃ９＝０、となるように予め設定されている。これにより、ＹＵＶデータから３つのＹデータ（輝度データ）を得ることができる。
【００３６】
次いで、ＬＵＴ１３では、カラー変換マトリクス回路１２で変換された３つのＹデータについて、それぞれデータ値の変換を行う（ステップＳ３４）。そして、その変換された３つのＹデータをＲＧＢデータとして使用し、カラー画像表示器３にモノクロ画像として表示される（ステップＳ３５）。
次に、モノクロ画像の濃度データを用いて、カラー画像表示器３にモノクロ画像を表示
する場合の処理について図１および図７を参照して説明する。
【００３７】
いま、元画像として、例えばモノクロ画像の濃度データとして８ビットの場合について説明する（ステップＳ４１）。この場合には、その８ビットの濃度データを図２（Ａ）に示すようなＲＧＢ３３２のデータとして扱うために、ビット拡張を行う（ステップＳ４２）。
このビット拡張は、その８ビットの濃度データを３ビット、３ビット、および２ビットに分け、その分けた３ビット、３ビット、および２ビットをそれぞれが８ビット形式のＲデータ、Ｇデータ、およびＢデータに割り当てるようにする（図２（Ａ）参照）。このようなビット拡張は図示しない回路で行われ、カラー変換マトリクス回路１２にはビット拡張されたＲＧＢデータが入力される。
【００３８】
カラー変換マトリクス回路１２は、ビット拡張されたＲＧＢデータを３つの濃度データＭに変換する（ステップＳ４３）。この変換は、ビット拡張されたＲＧＢデータをビットシフトすることにより行うことができる。
次いで、ＬＵＴ１３では、カラー変換マトリクス回路１２で変換された３つの濃度データＭについて、それぞれデータ値の変換を行う（ステップＳ４４）。そして、その変換された３つの濃度データＭをＲＧＢデータとして使用し、カラー画像表示器３にモノクロ画像として表示される（ステップＳ４５）。
【００３９】
以上説明したように、第１実施形態によれば、カラー画像表示器３に対して、カラー画像またはモノクロ画像のデータに基づいてモノクロ画像を表示させることができ、その表示のために専用の回路を必要としない。
また、第１実施形態によれば、カラー変換マトリクス回路１２の処理モードをソフトウエアで設定できる。
【００４０】
次に、図１の画像処理装置１を適用した画像処理システムの構成例について図８を参照して説明する。
この画像処理システムは、各部を制御する表示コントローラ４と、メモリの管理を行うメモリ管理ユニット５を有している。表示コントローラ４内には、カラー画像表示器３と接続される画像処理装置１が設けられている。また、表示コントローラ４には、カメラモジュール６、ＳＤＲＡＭ２、およびメモリ管理ユニット５が接続されている。メモリ管理ユニット５には、フラッシュメモリ７、ＲＡＭ８、および通信モジュール９が接続されている。
【００４１】
次に、このような構成の画像処理システムの画像データの流れについて、図８を参照して説明する。
（Ａ）フラッシュメモリ７に予め格納されているカラー画像データを、メモリ管理ユニット５が読み出し、表示コントローラ４を介してＳＤＲＡＭ２に書き込む場合。ここで、フラッシュメモリ７に予め格納されているカラー画像データとしては、ＲＧＢ３３２、ＲＧＢ５６５、ＲＧＢ８８８、ＹＵＶ４２２、ＹＵＶ４４４などがある。
【００４２】
（Ｂ）通信モジュール９によって取得されたネットワーク上などのカラー画像またはモノクロ画像のデータを、メモリ管理ユニット５がＲＡＭ８に書き込む場合。ここで、ＲＡＭ８に書き込まれるモノクロ画像データとしては８ビットの濃度データなどがあり、そのカラー画像データとしてはＲＧＢ３３２、ＲＧＢ５６５、ＲＧＢ８８８、ＹＵＶ４２２、ＹＵＶ４４４などがある。
【００４３】
（Ｃ）通信モジュール９で取得されてＲＡＭ８に書き込まれているカラー画像またはモノクロ画像のデータを、メモリ管理ユニット５が読み出し、表示コントローラ４を介してＳ
ＤＲＡＭ２に書き込む場合。
（Ｄ）ＳＤＲＡＭ２に格納される画像データを、表示コントローラ４が取り込む場合。
（Ｅ）ＳＤＲＡＭ２などからの画像データを画像処理装置１で変換してカラー画像表示器３に表示する場合。
【００４４】
ここで、（Ａ）〜（Ｄ）の画像データの流れでは、画像データの変換が行われることはないが、（Ｅ）のようにカラー画像表示器３に画像表示する場合には画像処理装置１がデータ変換を行う。
このため、図８の画像処理システムによれば、カラー画像のＲＧＢデータやＹＵＶデータ、またはモノクロ画像の濃度データに基づいて、カラー画像表示器３に対してモノクロ画像を表示できる。
【００４５】
（第２実施形態）
本発明の第２実施形態に係る画像処理装置１ａは、図９に示すように、バッファ１１と、カラー変換マトリクス回路１２と、ＬＵＴ（ルックアップテーブル）１３と、表示器インタフェース１４ａと、を備えている。
また、画像処理装置１ａは、メモリであるＳＤＲＡＭ２に記憶されるカラー画像またはモノクロ画像のデータに基づき、モノクロ画像表示器３ａに対して、モノクロ画像表示ができるようにした。
【００４６】
この画像処理装置１ａは、図１の画像処理装置１の構成を基本にし、図１の表示器インタフェース１４を表示器インタフェース１４ａに置き換えたものである。このため、同一構成要素には同一符号を付して説明はできるだけ省略する。
表示器インタフェース１４ａは、ＬＵＴ１３からの３つの出力データ（濃度データ）に基づき、モノクロ画像表示器３ａにモノクロ画像を表示させる。
モノクロ画像表示器３ａは、例えば液晶表示器からなる。また、モノクロ画像表示器３ａは、濃度データを用いてモノクロ画像表示ができるようになっている。
次に、図２に示すようなカラー画像のＲＧＢデータを用いて、モノクロ画像表示器３ａにモノクロ画像表示する場合の処理について図９、図１０を参照して説明する。
【００４７】
いま、ＲＧＢデータがカラー変換マトリクス回路１２に入力されると（ステップＳ５１）、カラー変換マトリクス回路１２は、ＲＧＢデータをＹＵＶデータに変換するが、この変換の際に、Ｙデータ（輝度データ）のみが得られるように変換する（ステップＳ５２）。
この際の変換式は、次の（６）式のようになる。
【００４８】
Ｙ＝０．２９９Ｒ＋０．５９７Ｇ＋０．１１４Ｂ・・・（６）
【００４９】
次いで、ＬＵＴ１３では、カラー変換マトリクス回路１２で変換されたＹデータについて、データ値の変換を行う（ステップＳ５３）。そして、その変換されたＹデータを濃度データとして使用し、モノクロ画像表示器３ａにモノクロ画像が表示される（ステップＳ５４）。
【００５０】
次に、カラー画像のＹＵＶデータを用いて、モノクロ画像表示器３ａにモノクロ画像を表示する場合の処理について図９および図１１を参照して説明する。
この例では、元画像のＹＵＶデータとしてＹＵＶ４２２またはＹＵＶ４４４を処理する場合について説明する（ステップＳ６１）。例えば、ＹＵＶ４２２を処理する場合には、ＹＵＶ４２２からＹＵＶ４４４に変換される（ステップＳ６２）。この変換は、図示しない回路によって行われ、ＹＵＶ４４４を処理する場合はその変換は不要である。
次に、ＹＵＶ４４４に変換されたＹＵＶデータが、カラー変換マトリクス回路１２に入
力されると、カラー変換マトリクス回路１２は、ＹＵＶデータからＹデータのみが得られるように変換する（ステップＳ６３）。
【００５１】
このような変換は、（１）式において、入力データＩ１〜Ｉ３としてＹＵＶデータを使用し、出力データＯ１〜Ｏ３としてＹＵＶデータとする。さらに、係数Ｃ１〜Ｃ９は、Ｃ１〜Ｃ３＝０、Ｃ４＝１、Ｃ５〜Ｃ９＝０、となるように予め設定されている。これにより、Ｕ＝Ｙとなり、Ｙデータ（輝度データ）のみを得ることができる。
次いで、ＬＵＴ１３では、カラー変換マトリクス回路１２で得られたＹデータについて、データ値の変換を行う（ステップＳ６４）。そして、その変換されたＹデータを使用し、モノクロ画像表示器３ａにモノクロ画像が表示される（ステップＳ６５）。
【００５２】
次に、モノクロ画像の濃度データを用いて、モノクロ画像表示器３ａにモノクロ画像を表示する場合の処理について図９および図１２を参照して説明する。
いま、元画像として、例えばモノクロ画像の濃度データとして８ビットの場合について説明する（ステップＳ７１）。この場合には、その８ビットの濃度データを図２（Ａ）に示すようなＲＧＢ３３２のデータとして扱うために、ビット拡張を行う（ステップＳ７２）。
【００５３】
このビット拡張は、その８ビットの濃度データを３ビット、３ビット、および２ビットに分け、その分けた３ビット、３ビット、および２ビットをそれぞれが８ビット形式のＲデータ、Ｇデータ、およびＢデータに割り当てるようにする（図２（Ａ）参照）。このようなビット拡張は図示しない回路で行われ、カラー変換マトリクス回路１２にはＲＧＢデータが入力される。
【００５４】
カラー変換マトリクス回路１２は、ビット拡張されたＲＧＢデータから濃度データＭに変換する（ステップＳ７３）。この変換は、ビット拡張されたＲＧＢデータをビットシフトすることにより行うことができる。
次いで、ＬＵＴ１３は、カラー変換マトリクス回路１２で変換された濃度データＭについて、データ値の変換を行う（ステップＳ７４）。そして、その変換された濃度データＭを使用し、モノクロ画像表示器３ａにモノクロ画像が表示される（ステップＳ７５）。
【００５５】
以上説明したように、第２実施形態によれば、モノクロ画像表示器３ａに対して、カラー画像またはモノクロ画像のデータに基づいてモノクロ画像を表示させることができ、その表示のために専用の回路を必要としない。
また、第２実施形態によれば、カラー変換マトリクス回路１２の処理モードをソフトウエアで設定できる。
【００５６】
次に、図９の画像処理装置１ａを適用した画像処理システムの構成例について図１３を参照して説明する。
この画像処理システムは、図８の画像処理システムの構成を基本にし、図８の画像処理装置１とカラー画像表示器３を、図１３のような画像処理装置１ａとモノクロ画像表示器３ａに置き換えたものである。このため、同一構成要素には同一符号を付して説明は省略する。
【００５７】
このような構成の画像処理システムの画像データの流れは、図８の画像処理システムの場合と同様であるので、その説明は省略する。
図１３の画像処理システムによれば、画像処理装置１ａにおけるカラー色変換機能を活用することにより、カラー画像のＹＵＶデータまたはモノクロ画像の濃度データに基づいて、モノクロ画像表示器３ａに対してモノクロ画像を表示できる。
【図面の簡単な説明】
【００５８】
【図１】本発明の第１実施形態の構成を示すブロック図である。
【図２】第１実施形態で使用されるＲＧＢデータの形式を説明する図である。
【図３】ＲＧＢデータからカラー画像表示を行うためのデータ処理を示すフローチャートである。
【図４】ＲＧＢデータからモノクロ画像表示を行うためのデータ処理を示すフローチャートである。
【図５】ＹＵＶデータからカラー画像表示を行うためのデータ処理を示すフローチャートである。
【図６】ＹＵＶデータからモノクロ画像表示を行うためのデータ処理を示すフローチャートである。
【図７】モノクロ画像データからモノクロ画像表示を行うためのデータ処理を示すフローチャートである。
【図８】第１実施形態を適用した場合の画像処理システムの構成例を示すブロック図である。
【図９】本発明の第２実施形態の構成を示すブロック図である。
【図１０】ＲＧＢデータからモノクロ画像表示を行うためのデータ処理を示すフローチャートである。
【図１１】ＹＵＶデータからモノクロ画像表示を行うためのデータ処理を示すフローチャートである。
【図１２】モノクロ画像データからモノクロ画像表示を行うためのデータ処理を示すフローチャートである。
【図１３】第２実施形態を適用した場合の画像処理システムの構成例を示すブロック図である。
【符号の説明】
【００５９】
１、１ａ・・・画像処理装置、２・・・ＳＤＲＡＭ，３・・・カラー画像表示器、３ａ・・・モノクロ画像表示器、１１・・・バッファ、１２・・・カラー変換マトリクス回路、１３・・・ＬＵＴ、１４、１４ａ・・・表示器インタフェース
【図１】
2009044289.tif 000004
【図２】
2009044289.tif 000005
【図３】
2009044289.tif 000006
【図４】
2009044289.tif 000007
【図５】
2009044289.tif 000008
【図６】
2009044289.tif 000009
【図７】
2009044289.tif 000010
【図８】
2009044289.tif 000011
【図９】
2009044289.tif 000012
【図１０】
2009044289.tif 000013
【図１１】
2009044289.tif 000014
【図１２】
2009044289.tif 000015
【図１３】
2009044289.tif 000016
【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
画像処理装置であって、
第１の画像データを入力し、第２の画像データを出力するカラー変換マトリクス回路を有する第１変換手段を含み、
前記カラー変換マトリクス回路は変換係数を任意に設定できることを特徴とする画像処理装置。
【請求項２】
請求項１において、
前記第１変換手段は、前記第１の画像データがＲＢＧデータのカラー画像のときに、前記第１の画像データを色変換したＲＧＢデータを前記第２の画像データとして出力し、
前記第２の画像データをＲＧＢデータとして使用することにより、カラー画像を出力することを特徴とする画像処理装置。
【請求項３】
請求項１において、
前記第１変換手段は、前記第１の画像データがＲＢＧデータのカラー画像のときに、前記第１の画像データを変換したＹＵＶデータを前記第２の画像データとして出力し、
前記第２の画像データは同じ値の３つのＹデータを有し、
前記第２の画像データをＲＧＢデータとして使用することにより、モノクロ画像を出力することを特徴とする画像処理装置。
【請求項４】
請求項１において、
前記第１変換手段は、前記第１の画像データがＹＵＶデータのカラー画像のときに、前記第１の画像データを変換したＹＵＶデータを前記第２の画像データとして出力し、
前記第２の画像データは同じ値の３つのＹデータを有し、
前記第２の画像データをＲＧＢデータとして使用することにより、モノクロ画像を出力することを特徴とする画像処理装置。
【請求項５】
請求項１または請求項３または請求項４において、
前記第２の画像データの各値を所定値に変換して第３の画像データとして出力する第２変換手段をさらに含み、
前記第３の画像データをＲＧＢデータとして使用することにより、モノクロ画像を出力することを特徴とする画像処理装置。
【請求項６】
請求項１において、
前記第１の画像データがモノクロ画像の場合に、前記第１の画像データの濃度データをＲＧＢデータとして拡張した第４の画像データを出力する第３変換手段をさらに含み、
前記第１変換手段は、前記第４の画像データを変換して前記第２の画像データとして出力し、
前記第２の画像データをＲＧＢデータとして使用することにより、モノクロ画像を出力することを特徴とする画像処理装置。
【請求項７】
画像処理装置であって、
第１の画像データを入力し、第２の画像データを出力するカラー変換マトリクス回路を有する第１変換手段を含み、
前記第１変換手段は、
前記第１の画像データがＲＧＢデータのときには、そのＲＧＢデータをＹＵＶデータに変換し、この変換の際にＹＵＶデータを同じ値の３つのＹデータに変換して出力する第１モードと、
前記第１の画像データがＹＵＶデータのときには、そのＹＵＶデータをＹＵＶデータに変換し、この変換の際にＹＵＶデータを同じ値の３つのＹデータに変換して出力する第２モードと、
前記第１の画像データがモノクロ画像の濃度データのときには、その濃度データをＲＧＢデータとして拡張し、この拡張されたＲＧＢデータを３つの濃度データに変換して出力する第３モードと、を有し、
前記第１モード、第２モード、および第３モードに応じて前記第１変換手段から出力される前記第２の画像データをＲＧＢデータとして使用し、モノクロ画像を出力することを特徴とする画像処理装置。
【請求項８】
請求項７において、
前記第２の画像データの各値を所定値に変換して第３の画像データとして出力する第２変換手段をさらに含み、
前記第３の画像データをＲＧＢデータとして出力することにより、モノクロ画像を出力することを特徴とする画像処理装置。
【請求項９】
請求項１において、
前記第１変換手段は、前記第１の画像データがＹＵＶデータのときに、前記第１の画像データからＹデータのみを取り出して前記第２の画像データとして出力し、
前記第２の画像データを濃度データとして使用し、モノクロ画像を出力することを特徴とする画像処理装置。
【請求項１０】
請求項１において、
前記第１の画像データがモノクロ画像の場合に、前記第１の画像データの濃度データをＲＧＢデータとして拡張した第４の画像データを出力する第３変換手段をさらに含み、
前記第１変換手段は、前記第４の画像データを変換して第２の画像データとして出力し、
前記第２の画像データを濃度データとして使用することにより、モノクロ画像を出力することを特徴とする画像処理装置。
【請求項１１】
画像処理装置であって、
第１の画像データを入力し、第２の画像データを出力するカラー変換マトリクス回路を有する第１変換手段を含み、
前記第１変換手段は、
前記第１の画像データがＹＵＶデータのときには、そのＹＵＶデータからＹデータを取り出して出力する第１モードと、
前記第１の画像データがモノクロ画像の濃度データのときには、その濃度データをＲＧＢデータとして拡張し、この拡張されたＲＧＢデータから濃度データに変換して出力する第２モードとを有し、
前記第１モードおよび第２モードに応じて前記第１変換手段から出力される前記第２の画像データを濃度データとして使用し、モノクロ画像を出力することを特徴とする画像処理装置。
【請求項１２】
請求項１１において、
前記第１変換手段から出力されるＹデータまたは濃度データの各値を所定値に変換する第２変換手段をさらに備え、
前記第２変換手段から出力される変換値を使用し、モノクロ画像を出力することを特徴とする請求項９に記載の画像処理装置。
請求項１１において、
前記第２の画像データの各値を所定値に変換して第３の画像データとして出力する第２の変換手段をさらに含み、
前記第３の画像データを濃度データとして使用し、モノクロ画像を出力することを特徴とする画像処理装置。
【手続補正２】
【補正対象書類名】明細書
【補正対象項目名】０００１
【補正方法】変更
【補正の内容】
【０００１】
本発明は、入力カラー画像または入力モノクロ画像のデータに基づき、カラー画像出力手段にモノクロ画像を出力させるための画像処理装置に関するものである。
また、本発明は、入力カラー画像または入力モノクロ画像のデータに基づき、モノクロ画像出力手段にモノクロ画像出力させる画像処理装置に関するものである。
【手続補正３】
【補正対象書類名】明細書
【補正対象項目名】０００３
【補正方法】変更
【補正の内容】
【０００３】
このように、従来装置では、カラー画像データを用いてモノクロ表示の画像出力手段にモノクロ画像出力ができる。
ところで、カラー画像出力装置に対して、カラー画像またはモノクロ画像のデータに基づいて、モノクロ画像の出力が必要な場合がある。また、モノクロ画像出力装置に対して、カラー画像またはモノクロ画像のデータに基づいて、モノクロ画像の出力が必要な場合がある。
【手続補正４】
【補正対象書類名】明細書
【補正対象項目名】０００４
【補正方法】変更
【補正の内容】
【０００４】
そこで、本発明のいくつかの態様は、上記の点に鑑み、カラー画像出力装置に対して、カラー画像またはモノクロ画像のデータに基づいてモノクロ画像を出力させることができ、その出力のために専用の回路を必要としない画像処理装置を提供する。ことにある。
本発明のいくつかの態様は、上記の点に鑑み、モノクロ画像出力装置に対して、カラー画像またはモノクロ画像のデータに基づいてモノクロ画像を出力させることができ、その出力のために専用の回路を必要としない画像処理装置を提供することにある。
【手続補正５】
【補正対象書類名】明細書
【補正対象項目名】０００５
【補正方法】変更
【補正の内容】
【０００５】
上記の課題を解決し本発明のいくつかの態様を達成するために、以下のような構成を用いる。
本発明は、入力カラー画像データに基づいてカラー画像出力手段にモノクロ画像を出力させる画像処理装置であって、入力カラー画像データがＲＧＢデータのときに、そのＲＧＢデータをＹＵＶデータに変換し、この変換の際にＹＵＶデータを同じ値の３つのＹデータに変換する第１変換手段を備え、前記カラー画像出力手段は、前記第１変換手段から出力される３つのＹデータをＲＧＢデータとして使用し、カラー画像をモノクロ画像として出力することを特徴とする。
【手続補正６】
【補正対象書類名】明細書
【補正対象項目名】０００６
【補正方法】変更
【補正の内容】
【０００６】
本発明は、入力カラー画像データに基づいてカラー画像出力手段にモノクロ画像を出力させる画像処理装置であって、入力カラー画像データがＹＵＶデータのときに、そのＹＵＶデータをＹＵＶデータに変換し、この変換の際にＹＵＶデータを同じ値の３つのＹデータに変換する第１変換手段を備え、前記カラー画像出力手段は、前記第１変換手段から出力される３つのＹデータをＲＧＢデータとして使用し、カラー画像をモノクロ画像として出力することを特徴とする。
【手続補正７】
【補正対象書類名】明細書
【補正対象項目名】０００７
【補正方法】変更
【補正の内容】
【０００７】
本発明は、前記第１変換手段から出力される前記３つのＹデータの各値を所定値に変換する第２変換手段をさらに備え、前記カラー画像出力手段は、前記第２変換手段から出力される前記３つの変換値をＲＧＢデータとして使用し、カラー画像をモノクロ画像として出力することを特徴とする。
本発明は、入力モノクロ画像のデータに基づいてカラー画像出力手段にモノクロ画像を出力させる画像処理装置であって、前記入力モノクロ画像の濃度データをＲＧＢデータとして拡張し、この拡張されたＲＧＢデータを３つの濃度データに変換する第１変換手段を備え、前記カラー画像出力手段は、前記第１変換手段から出力される３つの濃度データをＲＧＢデータとして使用し、モノクロ画像として出力することを特徴とする。
【手続補正８】
【補正対象書類名】明細書
【補正対象項目名】０００８
【補正方法】変更
【補正の内容】
【０００８】
本発明は、入力カラー画像または入力モノクロ画像のデータに基づいてカラー画像出力手段にモノクロ画像を出力させる画像処理装置であって、入力カラー画像のデータがＲＧＢデータのときには、そのＲＧＢデータをＹＵＶデータに変換し、この変換の際にＹＵＶデータを同じ値の３つのＹデータに変換して出力する第１モードと、入力カラー画像のデータがＹＵＶデータのときには、そのＹＵＶデータをＹＵＶデータに変換し、この変換の際にＹＵＶデータを同じ値の３つのＹデータに変換して出力する第２モードと、入力モノクロ画像の濃度データのときには、その濃度データをＲＧＢデータとして拡張し、この拡張されたＲＧＢデータを３つの濃度データに変換して出力する第３モードとを有し、前記第１、第２、および第３モードのうちの１つを予め設定できる第１変換手段を備え、前記カラー画像出力手段は、前記モードに応じて前記第１変換手段から出力される３つのＹデータまたは３つの濃度データをＲＧＢデータとして使用し、モノクロ画像として出力することを特徴とする。
【手続補正９】
【補正対象書類名】明細書
【補正対象項目名】０００９
【補正方法】変更
【補正の内容】
【０００９】
本発明は、前記第１変換手段から出力される前記３つのＹデータの各値を所定値に変換するとともに、前記第１変換手段から出力される３つの濃度データの各値を所定値に変換する第２変換手段をさらに備え、前記カラー画像出力手段は、前記第２変換手段から出力される３つの変換値をＲＧＢデータとして使用し、モノクロ画像として出力することを特徴とする。
【手続補正１０】
【補正対象書類名】明細書
【補正対象項目名】００１０
【補正方法】変更
【補正の内容】
【００１０】
本発明は、入力カラー画像データに基づいてモノクロ画像出力手段にモノクロ画像を出力させる画像処理装置であって、入力カラー画像データがＹＵＶデータのときに、そのＹＵＶデータからＹデータのみを取り出す第１変換手段を備え、前記モノクロ画像出力手段は、前記第１変換手段から出力されるＹデータを濃度データとして使用し、カラー画像をモノクロ画像として出力することを特徴とする。
【手続補正１１】
【補正対象書類名】明細書
【補正対象項目名】００１１
【補正方法】変更
【補正の内容】
【００１１】
本発明は、入力モノクロ画像データに基づいてモノクロ画像出力手段にモノクロ画像を出力させる画像処理装置であって、入力モノクロ画像の濃度データをＲＧＢデータとして拡張し、この拡張されたＲＧＢデータから濃度データに変換する第１変換手段を備え、前記モノクロ画像出力手段は、前記第１変換手段から出力される濃度データを使用し、モノクロ画像を出力することを特徴とする。
【手続補正１２】
【補正対象書類名】明細書
【補正対象項目名】００１２
【補正方法】変更
【補正の内容】
【００１２】
本発明は、入力カラー画像または入力モノクロ画像のデータに基づいてモノクロ画像出力手段にモノクロ画像を出力させる画像処理装置であって、入力カラー画像のデータがＹＵＶデータをときには、そのＹＵＶデータからＹデータを取り出して出力する第１モードと、入力モノクロ画像の濃度データのときには、その濃度データをＲＧＢデータとして拡張し、この拡張されたＲＧＢデータから濃度データに変換して出力する第２モードとを有し、前記第１モードまたは前記２モードを予め設定できる第１変換手段を備え、前記モノクロ画像出力手段は、前記モードに応じて前記第１変換手段から出力されるＹデータまたは濃度データを使用し、モノクロ画像を出力することを特徴とする。
【手続補正１３】
【補正対象書類名】明細書
【補正対象項目名】００１３
【補正方法】変更
【補正の内容】
【００１３】
本発明は、前記第１変換手段から出力される前記Ｙデータまたは前記濃度データの各値を所定値に変換する第２変換手段をさらに備え、前記モノクロ画像出力手段は、前記第２変換手段から出力される変換値を使用し、モノクロ画像を出力することを特徴とする。
このような構成からなる本発明によれば、カラー画像出力装置に対して、カラー画像またはモノクロ画像のデータに基づいてモノクロ画像を出力させることができ、その出力のために専用の回路を必要としない。
また、本発明によれば、モノクロ画像出力装置に対して、カラー画像またはモノクロ画像のデータに基づいてモノクロ画像を出力させることができ、その出力のために専用の回路を必要としない。